(57)【要約】【課題】ペット動物の興味や関心を惹きやすくすることができるペット用玩具を提供すること。【解決手段】空気受入口を備え、空気圧を受けることによって弾性的に伸張変形し、空気圧が除去されることによって弾性的に収縮復元変形して動きを発生すると共に、この変形に伴って音を発生するように構成されている可動部を備え外観を動物の外観に似せて作成された動物模型３と、外力を受けることにより変形して内部空気を送出し、外力除去により復元する膨縮変形可能な中空体構造からなる空気ポンプ部１と、前記動物模型３の空気受入口に先端が接続され、後端が前記空気ポンプ部１に接続され、全体が柔軟材料製のチューブ又は、後端側が硬質材料製のパイプで先端側が柔軟材料製のチューブで構成された空気配管２とを備えている。【選択図】図１
0003146179.tif 000002
【実用新案登録請求の範囲】
【請求項１】
空気受入口を備え、空気圧を受けることによって弾性的に伸張変形し、空気圧が除去されることによって弾性的に収縮復元変形して動きを発生すると共に、この変形に伴って音を発生するように構成されている可動部を備え、外観を動物の外観に似せて作成された動物模型と、外力を受けることにより変形して内部空気を送出し、外力除去により復元する膨縮変形可能な中空体構造からなる空気ポンプ部と、前記動物模型の空気受入口に先端が接続され、後端が前記空気ポンプ部に接続され、全体が柔軟材料製のチューブ、又は、後端側が硬質材料製のパイプで先端側が柔軟材料製のチューブで構成された空気配管とを備えていることを特徴とするペット用玩具。
【請求項２】
前記可動部は、袋体と、予め癖付けされて前記袋体に取り付けられた弾性部材とで構成されており、前記袋体自体が、変形に伴って屈曲音や摩擦音のような音を発生する紙材料で構成されていることを特徴とする請求項１に記載のペット用玩具。
【請求項３】
前記可動部は、袋体と、予め癖付けされて前記袋体に取り付けられた弾性部材とで構成されており、前記袋体の屈曲部には、この袋体の変形に伴って屈曲音や摩擦音のような音を発生する紙材料が添設されていることを特徴とする請求項１に記載のペット用玩具。
【請求項４】
前記動物模型は、可動部に鈴が取り付けられ、また、空気配管の先端に対して着脱可能とされ、さらに、複数種類の動物模型を付け替え可能としていることを特徴とする請求項１〜３の何れか１項に記載のペット用玩具。
【考案の詳細な説明】
【技術分野】
【０００１】
本考案は、猫、その他のペット動物に用いられるペット用玩具に関するものである。
【背景技術】
【０００２】
近時、趣味のためや癒し効果を求めて、各種のペット動物を飼育する家庭が増加傾向にあるが、飼い主がペット動物と接触する時間やコミュニケーションをとる時間が不足する場合が少なくなく、そのために、ペット動物が運動不足やストレス、肥満等により各種の病気に罹患し易くなってきている。
そこで、ペット動物の運動不足やストレスを解消させるためのグッズの開発が求められてきている。例えば、動物模型を動作させたり、音を出させることによって、ペット動物に興味や関心を持たせて獲物に対する追尾行動を取らせたり、狩猟本能を覚醒させて捕獲行動を取らせたり、じゃれつきや遊び等の運動を伴う行動を取らせることが考えられる。
【０００３】
従来、この種の玩具として、手動式空気ポンプを動力源として動物模型を動作させたり、発声させるようにしたものがある（例えば、特許文献１参照）。
【特許文献１】実公昭３５−１１６号公報
【考案の開示】
【考案が解決しようとする課題】
【０００４】
しかしながら、従来の前記玩具は、空気ポンプから送り出される空気圧によって動物模型の可動部を動作させると共に、この空気圧によって動物模型内に送り込まれた空気を動物模型の口に相当する部分から吹き出させることによって音を出させるようにしており、このため、可動部を動かすための空気圧が不足することになり、動物模型の可動部の動作が緩慢乃至弱化して不活発となってペット動物の興味や関心を惹きにくいという問題点があった。
また、前記玩具から出る音は、シューという低い単調な音（空気の吹き出し音）しか得られない。このような音は、例えばペット動物が猫の場合、警戒心を与えてしまい却って猫を遠ざけてしまうことになる。また、発音位置が動物模型の口であり、可動部（後足）とは離れた位置となっている（音の出る位置と動きのある位置とが別位置として離れている）ため、ペット動物の視覚と聴覚を別々の位置に分散させることになり、刺激を低下させ、興味や関心を惹きにくいという問題点があった。
【０００５】
本考案は、ペット動物の興味や関心を惹きやすくすることができるペット用玩具を提供することを目的としている。
【課題を解決するための手段】
【０００６】
前記目的を達成するために本考案は、空気受入口を備え、空気圧を受けることによって弾性的に伸張変形し、空気圧が除去されることによって弾性的に収縮復元変形して動きを発生すると共に、この変形に伴って音を発生するように構成されている可動部を備え、外観を動物の外観に似せて作成された動物模型と、外力を受けることにより変形して内部空気を送出し、外力除去により復元する膨縮変形可能な中空体構造からなる空気ポンプ部と、前記動物模型の空気受入口に先端が接続され、後端が前記空気ポンプ部に接続され、全体が柔軟材料製のチューブ、又は、後端側が硬質材料製のパイプで先端側が柔軟材料製のチューブで構成された空気配管とを備えていることを特徴としている。
【０００７】
この構成によれば、空気ポンプ部は、手動による反復押圧操作で空気を連続して送出可能であり、この空気ポンプ部から送出される空気圧を動物模型の可動部の動きに全部集中して作用させることができ、音を出すことに減殺されないため、可動部の動作を俊敏で活発なものとすることができる。しかも、音を出すメカニズムは、可動部の変形（動き）を利用しているため、前記のように、俊敏で活発な動作を実現可能とした可動部によって強い音を出すことができる。さらに、音の出る位置を可動部と一致させることができるため、ペット動物の視覚と聴覚とを同じ位置に集中させることができ、強い刺激を与えることができる。これらの結果、本考案のペット用玩具によれば、ペット動物の興味や関心を強く惹き付けることができ、ペット動物の運動不足、ストレス、肥満等の解消に大いに役立つことが期待される。なお、空気配管は、全体が柔軟材料製のチューブで構成されている場合では、空気ポンプ部と動物模型との間が柔軟材料製のチューブで接続されているため、ペット動物のじゃれつき動作や捕獲動作による動物模型の自由な動きが拡大されるが、空気ポンプ部側から飼い主等の玩具操作者による動物模型のあやつり動作がやや抑制される。これに対して、空気配管の先端側だけを柔軟材料製のチューブとし、後端側を硬質材料製のパイプで構成した場合では、飼い主等の玩具操作者が空気配管の後端側の硬質材料製のパイプ部分をあやつり棒として動物模型を活発にあやつり動作させることができる。
【０００８】
また、前記可動部は、袋体と、予め癖付けされて前記袋体に取り付けられた弾性部材とで構成されており、前記袋体は、変形に伴って屈曲音や摩擦音のような音を発生する紙材料で構成されていてもよい。
また、前記可動部は、袋体と、予め癖付けされて前記袋体に取り付けられた弾性部材とで構成されており、前記袋体の屈曲部には、この袋体の変形に伴って屈曲音や摩擦音のような音を発生する紙材料が添え付けて取り付けられていてもよい。
この構成によれば、対象とする動物模型の動作の特徴に合わせて弾性部材を予め癖付けすることができるため、種々の動物模型に適用することができる。そして、袋体内に空気ポンプ部から送出される空気圧を注入して弾性部材に抗して袋体を伸張動作させ、空気ポンプ部からの空気圧が除去されると弾性部材が弾性的に復元変形して袋体を収縮動作させることができ、これによって、対象とする動物模型に特有の動作を可動部に発生させることができ、安定した動作を長期間に亘って反復維持させることができる。
【０００９】
しかも、可動部の変形に伴って袋体を構成する紙材料自体の屈曲音や摩擦音のような音を発生させたり、又は、可動部の屈曲部に添え付けて取り付けられた紙材料の屈曲音や摩擦音のような音を発生する構成としてあるため、可動部の変形に伴って紙材料が屈曲音や摩擦音のような音、例えば、パリパリ音やガサゴソ、ザワザワ等の獲物が動くときや逃げるときに似た音が得られ、ペット動物の興味や関心を惹き付け易くすることができる。
また、前記動物模型は、可動部に鈴が取り付けられ、また、空気配管の先端に対して着脱可能とされ、さらに、複数種類の動物模型を付け替え可能としている。
【００１０】
この構成によれば、空気配管や空気ポンプを外して動物模型だけをペット動物に与えて遊ばせることができ、その際、鈴の音が出るため、ペット動物の興味や感心を惹きやすく、さらに、異種の動物模型に付け替えて使用することにより、ペット動物に興味や関心を長く持続させることが期待できる。
【考案の効果】
【００１１】
本考案によれば、ペット動物の興味や関心を惹きやすくすることができるペット用玩具を提供することができる。
【考案を実施するための最良の形態】
【００１２】
以下、本考案に係るペット用玩具の実施形態を図面に基づいて説明する。
本考案のペット用玩具は、図１に示すように、空気ポンプ部１と、空気配管２と、動物模型３とを備えている。
空気ポンプ部１は、外力を受けることにより変形して内部空気を送出し、外力除去により復元する膨縮変形可能な中空体構造からなり、全体がゴム、又は、プラスチック等の柔軟材料によって、例えば、図３（Ａ）（Ｂ）に示すような楕円球状、又は図３（Ｃ）（Ｄ）に示すような蛇腹筒状その他の中空体形状（例えば、球体、多面体、立方体、曲面体等）に成形されている。なお、本考案では、動物模型３を空気圧により動作させることができれば、空気ポンプ部１には必ずしも空気吸入孔は必要ではない。しかし、空気ポンプ部１の一部、例えば、変形方向一端側に送気口１ａを備え、他端側に逆止弁付きの空気吸入孔（図示省略）を形成してもよい。この場合、逆止弁は、舌片形状のものを空気吸入孔の内側に取り付けて、中空体内部の空気が外側に押し出されるときには中空体の内面に押し付けられて空気吸入孔を閉じ、中空体が復元膨張するときの中空体内の減圧作用による内外気圧差によって開き、外気を吸入するようにしたものを採用するのが好ましいが、他の構造の逆止弁を採用してもよい。
【００１３】
空気配管２は、図１に示すように、全体がゴム、軟質プラスチック等の柔軟材料製のチューブ２ａで構成されていてもよく、又は、図２に示すように、後端側が金属、硬質プラスチック等の硬質材料製のパイプ２ｂで構成され、先端側がゴム、軟質プラスチック等の柔軟材料製のチューブ２ａで構成されていてもよい。
動物模型３は、内部的な構造として、図４（Ａ）〜（Ｄ）に示すように、空気受入口３ａを備え、空気圧を受けることによって弾性的に伸張変形し、空気圧が除去されることによって弾性的に収縮復元変形して動きを発生すると共に、この動きに伴って音を発生するように構成されている可動部３ｂを備え、外部をサカナやライオンのような動物の形を模したぬいぐるみやカバーで包囲して外観を動物の外観に似せて作成されるものである。
【００１４】
上記可動部３ｂは、袋体３ｂ１と、予め癖付けされて前記袋体３ｂ１に取り付けられた弾性部材３ｂ２とで構成されており、図面に示す実施形態では、前記袋体３ｂ１自体が、変形に伴って屈曲音や摩擦音のような音を発生する紙材料（例えば、グラシン紙、油浸紙、和紙、セロハン神のような樹脂シート紙、又はこれらと同等若しくは同等以上の複合紙又は複合シート等）で構成されている場合を例示している。そして、弾性部材３ｂ２は、バネ鋼、ステンレス鋼その他の弾性材料製の細幅薄板状又は細線状のものが袋体３ｂ１の長手方向全長に亘って貼り付けて取り付けられている。
【００１５】
また、図示を省略しているが、前記可動部３ｂは、袋体３ｂ１と、予め癖付けされて前記袋体３ｂ１に取り付けられた弾性部材３ｂ２とで構成されており、前記袋体３ｂ１の屈曲部には、変形に伴って屈曲音や摩擦音のような音を発生する上記と同様の紙材料が添え付けて取り付けられていてもよい。この場合、袋体３ｂ１は、ゴム袋やプラスチックフィルム袋等で構成されていて、これの屈曲部に変形に伴って屈曲音や摩擦音のような音を発生する紙材料を添え付けて取り付けるという構成で実施してもよい。紙材料の添え付けは、袋体３ｂ１の屈曲部の外側又は内側若しくは内外両側に添わせて設けたり、袋体３ｂ１の屈曲部を含む全長に亘って配置し、その一端又は両端のみで袋体３ｂ１に止着し、或いは、途中適宜間隔位置で止着して非止着部が自由に動き得るように設け、これによって、可動部３ｂが動くとき、紙材料が多様な音が出るようにするのが好ましい。
【００１６】
可動部３ｂの形状は、対象とする動物模型ごとに異なる動きを実現するのが好ましく、そのため、例えば、図５（Ａ）〜（Ｅ）に示すような形状とすることができる。
図５（Ａ）は、弾性部材３ｂ２によって袋体３ｂ１の途中にくびれをもたせたもので、図６（Ａ）に示すような、へび乃至ケムシ、或いは、ミミズやシャクトリムシのような動物模型に適用され、空気受入口３ａから供給される空気圧によって袋体３ｂ１の長手方向に伸張し、空気圧が除去されると弾性部材３ｂ２の復元力によって元の形状に復元収縮するようにしたものである。
【００１７】
図５（Ｂ）は、弾性部材３ｂ２によって袋体３ｂ１の後部に湾曲部を持たせると共に、袋体３ｂ１の後端にゴムチューブ３ｂ３の一端を連結し、他端をフリーとしたもので、図６（Ｂ）〜（Ｄ）に示すような、ネズミ、ライオン、イノシシ、ウシ等の動くシッポをもつ動物模型に適用され、空気受入口３ａから供給される空気圧によって袋体３ｂ１の後部を直線状に伸張させてゴムチューブ３ｂ３の自由端を一方に大きく振らせ、空気圧が除去されると弾性部材３ｂ２の復元力によって袋体３ｂ１の後部を元の湾曲状態に復元させ、このときにも、ゴムチューブ３ｂ３の自由端を前記とは反対方向に大きく振らせるようにしたものである。なお、ゴムチューブ３ｂ３の自由端には、図６（Ｂ）〜（Ｄ）に示すような毛房３ｂ４を付けるとともに、ゴムチューブ３ｂ３の外側を布地や編地で被覆してシッポに似た外観を形成させるものである。
【００１８】
図５（Ｃ）は、弾性部材３ｂ２によって袋体３ｂ１を長手方向に渦巻き状にしたもので、図６（Ｅ）（Ｆ）に示すような、とぐろを巻いたヘビのような動物模型に適用され、空気受入口３ａから供給される空気圧によって袋体３ｂ１の長手方向に伸張し、空気圧が除去されると弾性部材３ｂ２の復元力によって元の形状に復元収縮するようにしたものである。
図５（Ｄ）は、弾性部材３ｂ２によって袋体３ｂ１の後部に緩い湾曲部を持たせたもので、図６（Ｇ）に示すような、サカナ等の動くヒレを後部にもつ動物模型に適用され、空気受入口３ａから供給される空気圧によって袋体３ｂ１の後部を直線状に伸張させ、空気圧が除去されると弾性部材３ｂ２の復元力によって袋体３ｂ１の後部を元の湾曲状態に復元させてヒレを振らせるようにしたものである。
【００１９】
図５（Ｅ）は、弾性部材３ｂ２によって袋体３ｂ１の後部に急な湾曲部を持たせたもので、図６（Ｈ）（Ｉ）に示すような、エビ、ロブスター、ザリガニ等の屈曲腰部をもつ動物模型に適用され、空気受入口３ａから供給される空気圧によって袋体３ｂ１の後部を直線状に伸張させ、空気圧が除去されると弾性部材３ｂ２の復元力によって袋体３ｂ１の後部を元の湾曲状態に復元させ後尾等を振らせるようにしたものである。
図６（Ａ）〜（Ｉ）に示す動物模型３は、図５（Ａ）〜（Ｅ）に示すような可動部３ｂの１つを体内に内蔵させた布製の「ぬいぐるみ」として、或いは、ゴム又は軟質プラスチックの外側カバーを施すことによって、外観を動物の外観に似せて作成されるものである。その場合、縞模様や斑点模様、外皮の色彩等は本物の動物に似せて作成されるのが好ましいが、同一種類の動物模型相互間で色違いや模様違いのものを作成してもよい。
【００２０】
本考案の実施形態は以上であり、次にその動作を説明する。
本考案のペット用玩具の構成によれば、空気ポンプ部１は、手動による反復押圧操作で空気を連続して送出可能であり、この空気ポンプ部１から送出される空気圧を動物模型３の可動部３ｂの動きに集中して作用させることができ、音を出すことに減殺されないため、可動部３ｂの動作を俊敏で活発なものとすることができる。しかも、音を出すメカニズムは、可動部３ｂの俊敏で活発な変形（動き）を利用しているため、強い音を出すことができる。さらに、音の出る位置を可動部３ｂと一致させることができるため、ペット動物の視覚と聴覚とを同じ位置に集中させることができ、強い刺激を与えることができる。これらの結果、本考案のペット用玩具によれば、ペット動物の興味や関心を強く惹き付けることができ、ペット動物の運動不足、ストレス、肥満等の解消に大いに役立つことが期待される。
【００２１】
なお、空気配管２は、全体が柔軟材料製のチューブ２ａで構成されている場合（図１の場合）では、空気ポンプ部１と動物模型３との間が柔軟材料製のチューブ２ａで接続されているため、ペット動物のじゃれつき動作や捕獲動作による動物模型３の自由な動きが拡大されるが、空気ポンプ部１側から飼い主等の玩具操作者による動物模型３のあやつり動作がやや抑制される。これに対して、空気配管２の先端側だけを柔軟材料製のチューブ２ａとし、後端側を硬質材料製のパイプ２ｂで構成した場合（図２の場合）では、飼い主等の玩具操作者が空気配管２の後端側の硬質材料製のパイプ２ｂ部分をあやつり棒として動物模型３を活発にあやつり動作させることができる。
【００２２】
また、前記動物模型３は、空気配管２の先端に対して適宜の接続具によって着脱可能としておくことにより、空気配管２や空気ポンプ部１を外して動物模型３だけをペット動物に与えて遊ばせることができる。この場合、動物模型３の可動部３ｂの一部に鈴３ｂ５（図５（Ｃ）参照）を取り付けておくことによって、ペット動物が動物模型３を動かすごとに鈴３ｂ５の音を発生させることができる。また、複数種類の動物模型３を付け替え可能としておくこともできるため、異種の動物模型３に付け替えて使用することにより、ペット動物に興味や関心を長く持続させることが期待できる。
【００２３】
また、可動部３ｂは、柔軟材料製の袋体３ｂ１と、予め癖付けされて前記袋体３ｂ１に取り付けられた弾性部材３ｂ２とで構成しておくことによって、対象とする動物模型３の動作の特徴に合わせて弾性部材３ｂ２を予め癖付けすることができる。このため、種々の動物模型３に適用することができる。そして、袋体３ｂ１内に空気ポンプ部１から送出される空気圧を注入して弾性部材３ｂ２に抗して袋体３ｂ１を伸張動作させ、空気ポンプ部１からの空気圧が除去されると弾性部材３ｂ２が弾性的に復元変形して袋体３ｂ１を収縮動作させることができる。これによって、対象とする動物模型３に特有の動作を可動部３ｂに発生させることができ、安定した動作を長期に亘って反復維持させることができる。
【００２４】
また、可動部３ｂは、変形に伴って袋体３ｂ１を構成している紙材料自体の屈曲音や摩擦音のような音を発生させることができる。なお、袋体３ｂ１の屈曲部に添え付けて取り付けた紙材料による屈曲音や摩擦音のような音を発生させることもできる。さらに、可動部３ｂに取り付けられた鈴３ｂ４によっても音を発生させることができる。これらによって、動物模型３の動き（変形）に伴って、パリパリ音やガサゴソ、ザワザワ等の獲物が動くときや逃げるときに似た強く高い音を動物模型３の可動部３ｂという同一位置から発生させることができ、また、鈴３ｂ５の音が出るため、ペット動物の興味や関心を惹き付け易くすることができる。
【００２５】
本考案に係るペット用玩具は、以上の実施形態からなるが、本考案は、この実施形態にのみ制約されるものではなく、種々変形して実施してもよい。例えば、動物模型３の具体的な対象は、動くものであればなんでもよいものであって、特に制約はなく、実在動物に限らず、架空想像上の動物や漫画・アニメのキャラクタ等を適用してもよい。また、可動部３ｂは、１つの動物模型３に複数設置し、空気ポンプ部１から空気配管２を経て動物模型３の体内で分岐接続することにより実施できる。さらに、動物模型３は、胴体部分と頭部とを繋ぐ首部をバネ（板バネ、コイルバネを含む）で構成して首振り構造とし、或いは、足と胴体を同様なバネで接続することにより、ツイスト運動させるようにしてもよい。
【図面の簡単な説明】
【００２６】
【図１】本考案に係るペット用玩具の一実施形態を示す全体図である。
【図２】本考案に係るペット用玩具の他の実施形態を示す全体図である。
【図３】（Ａ）〜（Ｄ）は本考案に採用される空気ポンプ部の異なる実施形態例図である。
【図４】（Ａ）〜（Ｄ）は本考案に採用される可動部の１実施形態における癖付け前後の概略平面図と概略側面図を示している。
【図５】（Ａ）〜（Ｅ）は本考案に採用される可動部のそれぞれ異なる実施形態例を示す概略斜視図である。
【図６】（Ａ）〜（Ｉ）は本考案に採用される動物模型のそれぞれ異なる実施形態例を示す概略斜視図である。
【符号の説明】
【００２７】
１    空気ポンプ部
１ａ    送気口
２    空気配管
３    動物模型
３ａ    空気受入口
３ｂ    可動部
３ｂ１    袋体
３ｂ２    弾性部材
３ｂ３    ゴムチューブ（シッポ）
３ｂ４    毛房
３ｂ５    鈴
【図１】
0003146179.tif 000003
【図２】
0003146179.tif 000004
【図３】
0003146179.tif 000005
【図４】
0003146179.tif 000006
【図５】
0003146179.tif 000007
【図６】
0003146179.tif 000008